(57)【要約】  屋内の暴動防止キャッチャに関する。そのケーシングが天井に取り付けられる。二つ以上の加圧ガス容器が、ケーシングに取り付けられる。ネットを持った発射ヘッドが一方の加圧ガス容器の下に取り付けられる。色塗料、刺激物質又は蛍光性パウダーを含む小さな容器が、他方の加圧ガス容器の下に取り付けられる。発射メカニズムは各加圧ガス容器のオリフィスに取り付けられる。発射メカニズムは電磁弁誘発タイプ又はヒューズ抵抗体誘発タイプであり、中央モニタリングシステム又はＣＣＴＶモニタリングシステムによって制御される。強盗の場合には、スイッチをONにして加圧ガス容器から高圧ガスを発出する発射メカニズムを誘発する。高圧ガスは弾丸を押し出して、それは順次ネットを引き出して容疑者を包む。同時に、刺激物質がスプレーされて容疑者が格闘するのを止めさせる。塗料も容疑者にスプレーされる。夜間には、蛍光性パウダーも提供される。本考案は壁に取り付けられてワイヤー抵抗体を溶かすことによって誘発してもよい。又は、それはブレード誘発モードで手動で発射させるために壁から取り外してもよい。それは、銀行、宝石店および他の重要なユニットでの窃盗および強盗に対する屋内保護装置として理想的である。
0003117551.tif 000002
【実用新案登録請求の範囲】
【請求項１】
ケーシング(1)、圧力容器、発射ヘッドおよび発射メカニズムを備え、
前記ケーシング(1)が天井に取り付けられ、
前記圧力容器は二つ以上であるとともにケーシング(1)に取り付けられ、
発射ヘッド(6)が一つの圧力容器(2)の下に取り付けられ、
ある角度で外方に傾斜したいくつかの弾丸穴(7)が、発射ヘッド(6)の周囲に沿って配され、
弾丸穴(7)の各々の中に一つの弾丸(8)があり、該弾丸(8)が接続ひも(15)によって、発射ヘッド(6)のネット収納パイプ(7a)の中にあるネットに接続され、
Ｔ字型ジョイント(14)が、他の圧力容器(2a)の下に取り付けられるとともに、圧力容器および二つの小さな容器(12，12a)のオリフィスに接続され、
一方の小さな容器(12)が色塗料(11)を含んでおり、他方の小さな容器(12a)が刺激物質(11a)又は蛍光性パウダーを含んでおり、
いくつかのノズル(13)が、二つの小さな容器(12，12a)の下に取り付けられ、
発射メカニズムが、各圧力容器のオリフィスにそれぞれ取り付けられるとともに、中央モニタリングシステム又はＣＣＴＶモニタリングシステムに制御されていることを特徴とする、屋内の暴動防止キャッチャ。
【請求項２】
前記ケーシング(1)がボールジョイント(3)によって天井に接続され、前記の二つ以上の圧力容器がボールジョイントによってケーシング(1)にそれぞれ接続されていることを特徴とする、請求項１記載の屋内の暴動防止キャッチャ。
【請求項３】
スライド・トラックが天井に取り付けられ、ケーシング(1)がそのスライド・トラックに沿って滑動可能であるか、又は適切な位置に固定されることを特徴とする、請求項１記載の屋内の暴動防止キャッチャ。
【請求項４】
キャップ(10)が発射ヘッド(6)の下に取り付けられていることを特徴とする、請求項１記載の屋内の暴動防止キャッチャ。
【請求項５】
マノメーターが前記二つ以上の圧力容器の各々のオリフィスに取り付けられていることを特徴とする、請求項１記載の屋内の暴動防止キャッチャ。
【請求項６】
二つ以上の圧力容器の各々のオリフィスに取り付けられた前記発射メカニズムが、電磁弁であり、電磁弁が隠しスイッチ又はモニタリング及びコントロールシステムよって制御されることを特徴とする、請求項１記載の屋内の暴動防止キャッチャ。
【請求項７】
前記二つ以上の圧力容器(2，2a)上に取り付けられた発射メカニズムが、ヒューズ抵抗体誘発タイプのものであり、
フレーム(16，16a)が、それぞれ、各圧力容器のオリフィスに取り付けられ、前記フレーム(16，16a)が、ねじ山接続により圧力容器のオリフィスに接続され、オリフィスの各々がゴム栓(20，20a)で密閉され、ゴム栓(20，20a)が加圧板(19，19a)で加圧されており、
締め付けひも(21，21a)が、各加圧板(19，19a)の一端に取り付けられるとともに、フレーム(16，16a)上の突出ポールに接続され、
ワイヤー抵抗体(18，18a)が締め付けひも(21，21a)に巻きつけられ、リベット固定されたリング(17，17a，17′，17a′)が、ワイヤー抵抗体(18，18a)の各端部に取り付けられ、リベット固定されたリングが、締め付けひもに固定されるとともに、リード線を通して制御スイッチに接続されることを特徴とする、請求項１記載の屋内の暴動防止キャッチャ。
【請求項８】
ケーシング、圧力容器、発射ヘッドおよび発射メカニズムを備え、
前記ケーシングが、屋内の壁又は壁コーナー部に取り付けられ、
前記圧力容器のフレームが、ケーシングに取り付けられるとともに、着脱可能な接続を通してケーシングに接続され、
前記発射ヘッドが前記圧力容器の下に取り付けられ、
ある角度で外方に傾斜したいくつかの弾丸穴が、前記発射ヘッドの周囲に沿って配され、
弾丸穴の各々に一つの弾丸があってそれらの弾丸が前記発射ヘッドのネット収納パイプにあるネットに接続され、
前記発射メカニズムが、前記圧力容器のオリフィスに取り付けられるとともに、中央モニタリングシステム又はＣＣＴＶモニタリングシステムによってオンラインで制御されることを特徴とする、屋内の暴動防止キャッチャ。
【請求項９】
容器のオリフィスに取り付けられた前記発射メカニズムが、ヒューズ抵抗体誘発タイプ又は携帯型の回転ブレード誘発の携帯型/固定タイプであり、
発射メカニズムのフレーム(16)が、容器のオリフィスに取り付けられるとともに、ねじ山接続を通して容器のオリフィスに接続され、
オリフィスがゴム栓で密閉され、ゴム栓が加圧板(19)で加圧されており、
加圧板(19)の一端に締め付けひも(21)があって、前記締め付けひも(21)がフレーム上の突出ポールに接続され、
ワイヤー抵抗体(18)が締め付けひもに巻きつけられ、
ワイヤー抵抗体(18)の各端部にリベット固定されたリング(17，17a)があるとともに、リベット固定されたリングが締め付けひもに固定され、
前記リベット固定されたリングがリード線によって制御スイッチに接続され、
一方の電極がフレームに取り付けられるとともに、他方の電極がケーシングに取り付けられ、
設置の後に二つの電極がお互いに結合され、
ブレード(22)が、フレーム(16)の回転スリーブ(23)の内壁に取り付けられることを特徴とする、請求項８記載の屋内の暴動防止キャッチャ。
【請求項１０】
致命的でない電圧が印加されたネットが、前記ネットに組み入れられていることを特徴とする、請求項１又は８記載の屋内の暴動防止キャッチャ。
【考案の詳細な説明】
【技術分野】
【０００１】
本考案は、警察器具に関し、特に、強盗や窃盗から人々の財産を保護する屋内の暴動防止（anti-riot）キャッチャに関する。
【背景技術】
【０００２】
現在、警備員に加えて、銀行の大部分、金や宝石の店舗、および他の重要なユニットは、ＣＣＴＶモニタリングシステムを装備している。そのシステムの欠点は、何か出来事があった後にその事件を解決するための手掛かりとしてビデオを提供することを主たる目的としている。したがって、そのシステムは、消極的な防護システムであり、容疑者をその場で捕らえることができないというものである。
【考案の開示】
【０００３】
その場で容疑者を有効に捕らえることができる屋内の装置が存在しないという観点で、本考案は、犯罪を犯している容疑者を包んで（wrap）捕まえるために、天井又は壁から高強度ネットを飛び出させる（shoot out）ことができる、屋内の暴動防止（anti-riot）キャッチャを提供するものである。
【０００４】
本考案の技術的解決策は、以下のようなものである。
【０００５】
屋内の暴動防止キャッチャは、ケーシング、加圧ガス容器、発射ヘッドおよび発射メカニズムを備える。前記ケーシングは屋内の天井に取り付けられる。前記加圧ガス容器は、二つ以上である。ガス容器は、ケーシングに取り付けられる。前記発射ヘッドは、容器のうちの一つに取り付けられる。ある角度で外方に傾斜したいくつかの弾丸穴（bullet hole）は、前記発射ヘッドの周囲に沿って配される。各々の弾丸穴はその中に一つの弾丸を有している。前記弾丸（bullet）は、接続ひも（connecting string）によって、発射ヘッドのネット収納パイプの中にあるネットに接続される。Ｔ字型ジョイントは他の加圧ガス容器の下に取り付けられ、容器オリフィスおよび二つの小さな容器に接続される。小さな容器の一方は色塗料を含んでいる。他方の容器は刺激物質又は蛍光性パウダーを含んでいる。いくつかのノズルは、個々の小さな容器の下に取り付けられる。発射メカニズムは、各加圧ガス容器のオリフィスに取り付けられ、中央モニタリングシステム又はＣＣＴＶモニタリングシステムによって制御されてもよい。
【０００６】
各加圧ガス容器のオリフィスに取り付けられた前記発射メカニズムは、電気マグネチックバルブであってもよい。それは、隠し（concealed）スイッチ又はモニタリングシステムによって制御される。
【０００７】
各加圧ガス容器のオリフィスに取り付けられた前記発射メカニズムは、ヒューズ抵抗体誘発（fuse resistor triggered）タイプのものであってもよい。すなわち、各フレームは各容器のオリフィスに取り付けられる。フレームは、ねじ山によってオリフィスに接続される。オリフィスはゴム栓で密閉される。それは加圧板で加圧されている。加圧板の一端にある締め付けひも（tightening string）は、フレーム上の突出ポールに接続される。締め付けひも（tightening string）は、ワイヤー抵抗体で巻き付けられている。ワイヤー抵抗体の各端部で、リベット固定された（riveted）リングが形成されている。リベット固定されたリングの各々は、締め付けひもに固定され、リード線を通して制御スイッチに接続される。
【０００８】
本考案の技術的解決法は、以下のようなものである。
【０００９】
屋内の暴動防止キャッチャは、ケーシング、加圧ガス容器、発射ヘッドおよび発射メカニズムを備える。前記ケーシングは、屋内の壁又はコーナー部に取り付けられる。前記加圧ガス容器のフレームはケーシングに取り付けられて、着脱可能にケーシングに接続される。発射ヘッドは加圧ガス容器のうちの一つの下に取り付けられる。ある角度で外方に傾斜したいくつかの弾丸穴は、発射ヘッドの周囲に沿って配される。各弾丸穴には一つの弾丸があって、弾丸（bullet）は、接続ひも（connecting string）によって、発射ヘッドのネット収納パイプにあるネットに接続される。発射メカニズムは容器のオリフィスに取り付けられ、中央モニタリングシステム又はCCTVモニタリングシステムによって制御される。
【００１０】
各加圧ガス容器のオリフィスに取り付けられた前記発射メカニズムは、ヒューズ抵抗体誘発（fuse resistor triggered）タイプ、携帯型の回転ブレード切断（hand-held spinning-blade cut）タイプ、小さな携帯型で（small hand-held）、固定された二重（fixed dual）タイプのものであってもよい。各フレームは各容器のオリフィスに取り付けられる。フレームは、ねじ山によってオリフィスに接続される。オリフィスはゴム栓で密閉される。ゴム栓は加圧板で加圧されている。加圧板の一端にある締め付けひもは、フレーム上の突出ポールに接続される。締め付けひもは、ワイヤー抵抗体で巻き付けられている。ワイヤー抵抗体の各端部で、リベット固定されたリングが形成されている。リベット固定されたリングの各々は、リード線によって制御スイッチに接続される。電極はフレーム及びケーシングに取り付けられる。フレームの電極及びケーシングの電極は、設置の後にお互いに結合（mated）している。ブレードは、フレームの回転スリーブの内壁に取り付けられている。
【００１１】
本考案の利点は、以下のものを含んでいる。
【００１２】
１．本考案は、発射メカニズムを誘発する（trigger）ためのパワーソースとして屋内の天井又は壁に取り付けられた加圧ガス容器における高圧ガスを利用する。それが高圧ガスを発出して、発射ヘッドの弾丸穴にある弾丸を押し出す。弾丸は、順次、傘状のネットを引き出して容疑者を覆って包み、容疑者が逃亡したり格闘したりすることを不可能にする。したがって、警察や周りの人々を負傷させずに、容疑者を有効に捕らえる。
【００１３】
２．天井取付キャッチャは、発射ヘッドだけでなく、他の加圧ガス容器を備える。それはその下にある小さな容器から刺激物質及び色塗料をスプレーするための高圧ガスを発出することができる。その結果、容疑者が目を開けることを不可能にしたり、呼吸困難にさせたり、容疑者に強い燃えるような苦痛をもたらす。このように、容疑者は、犯罪を継続することに一時的に失敗する。警察が到着する時間をかせぐ。容疑者がネットを壊して脱出したとしても、彼にスプレーされた目立つ色塗料により人々によって気づかれるだろう。色塗料は、後で事件を解決するための価値のある目撃者手掛かりを提供する。夜間において、それは、容疑者に蛍光性パウダーをスプレーすることもできる。その結果、容疑者が露出される。
【００１４】
３．天井取付キャッチャに対して、発射メカニズムは電気マグネチックバルブ誘発タイプやヒューズ抵抗体誘発タイプであってもよい。壁に取り付けられたキャッチャに対して、発射メカニズムは、電気的なヒューズ誘発（trigger）タイプ又は携帯型の回転ブレード切断タイプであってもよい。その結果、保安要員は壁からキャッチャを降ろして、手の中にあるキャッチャで容疑者をねらい撃つことができる。したがって、本考案の放出タイプは様々である。また、いずれのタイプのものも、簡単な構造であって使いやすい。
【００１５】
４．本考案の制御装置は、アクセスするのが簡単な隠し場所にあるように設計されている。したがって、本考案の制御装置は、容疑者を素早く有効に捕捉する（trap）ことができる。本考案の制御装置は、警察署の内部警報システムに接続するか、又は金融企業の中央モニタリングシステムによって遠隔モードで制御されてもよい。
【００１６】
５．銀行の既存のＣＣＴＶモニタリングシステムと結合することによって、本考案のキャッチャは、犯罪者に大きな抑制力を提供し、銀行や宝石店での重大犯罪(例えば強盗、窃盗)を有効に防ぐことができる。
【考案を実施するための最良の形態】
【００１７】
以下に、本考案は、添付図面を参照しながら、実施形態において詳述される。
【００１８】
図１は、本考案において記述された暴動防止キャッチャの天井取付タイプの実施形態である。前記屋内暴動防止キャッチャは、ケーシング1、加圧ガス容器、発射ヘッドおよび発射メカニズムを備える。前記ケーシング1は、屋内の天井に取り付けられる。この実施形態において二つの加圧ガス容器がある。それらの両方ともケーシング1に取り付けられる。発射ヘッド6は、一方の容器2の下に取り付けられる。ある角度で外方に傾斜したいくつかの弾丸穴7は、発射ヘッド6の周囲に沿って配される。各弾丸穴7には一つの弾丸8があり、弾丸8は、接続ひも15によって、発射ヘッド6のネット収納パイプ7aにあるネット9に接続される。Ｔ字型ジョイント14は、別の加圧ガス容器2aの下に取り付けられ、加圧ガス容器および二つの小さな容器12，12aのオリフィスに接続される。小さな容器12のうちの一方は色塗料11を含んでいる。他方の小さな容器12aは、刺激物質11a(それはコショウ油又は砕かれた石灰である)又は夜間での蛍光性パウダーを含んでいる。個々の小さな容器12a，12の下には、いくつかのノズル13がある。発射メカニズムは、各加圧ガス容器のオリフィスにそれぞれ取り付けられている。それらの発射メカニズムは、オンラインで中央モニタリングシステム又はＣＣＴＶモニタリングシステムによって制御することができる。
【００１９】
前記ケーシング1は、ボールジョイント3によって天井に接続される。二つの加圧ガス容器2，2aは、ボールジョイント3b，3aによってケーシング1にそれぞれ接続される。その結果、ケーシング1の全体的な角度は、ボールジョイント3によって調節することができ、二つの加圧ガス容器の角度をボールジョイント3a，3bによって調節することができる。
【００２０】
スライド・トラックが天井に取り付けられる。ケーシング1は、スライド・トラックに沿って滑動するか、又は適切な位置に固定することができる。
【００２１】
弾丸8およびネット9が落下するのを防ぐために、キャップ10は発射ヘッド6の下に取り付けられる。
【００２２】
容器圧力の臨時の（casual）検査を容易にするために、マノメーター4，4aが、加圧ガス容器2，2aのオリフィスにそれぞれ取り付けられる。
【００２３】
図１に示された二つの加圧ガス容器2，2aに取り付けられた発射メカニズムは、電磁弁5，5aをそれぞれ装備している。前記電磁弁は、隠しスイッチ又はモニタリング及びコントロールシステムによって制御される。
【００２４】
図２は、加圧ガス容器2，2aのオリフィスに取り付けられた発射メカニズムの他の実施形態を示す。発射メカニズムは両方ともヒューズ抵抗体誘発（trigger）タイプである。フレーム16，16aは、加圧ガス容器の各オリフィスに取り付けられ、ねじ山接続によってオリフィスに接続される。オリフィスの各々はゴム栓20，20aで密閉される。ゴム栓は制御された発出する加圧板19a，19で加圧されている。締め付けひも21，21aは、加圧板19，19aの一方の端部に取り付けられ、フレーム16a，16上の突出ポールに接続される。ワイヤー抵抗体18，18aは、締め付けひも21，21aにそれぞれ巻きつけられる。リベット固定されたリング17，17a，17′，17a′は、ワイヤー抵抗体18，18aの各端部に取り付けられる。リベット固定されたリングは、締め付けひもに固定されて、リード線によって電源および制御スイッチに接続される。
【００２５】
電磁弁誘発（trigger）の発射メカニズムを持った天井取付キャッチャの操作手順は、以下のようになる。隠しスイッチをONにして電磁弁5の電源を入れる。それは、加圧ガス容器2が高圧ガスを発出することを引き起こす。高圧ガスによって押し出されて、弾丸穴7にある弾丸8は外に飛び出し、傘状のネット収納パイプ7aからネット9を引き出して、容疑者を包む。同時に、加圧ガス容器2aの上の電磁弁5aの電源がONになる。その結果、高圧ガスは、T-ジョイント14によって刺激物質11aを含んでいる小さな容器12a、及び色塗料11を含んでいる小さな容器12に急速に入り込み、小さな容器の下にあるノズル13に急速に入り込む。ガス圧力の下では、ノズル上のプラグが押し出される。刺激物質および色塗料は容疑者上にスプレーされる。その結果、容疑者が犯罪を継続することを不可能にさせて、容疑者に色マークを残す。
【００２６】
ヒューズ抵抗体誘発（trigger）の発射メカニズムを持った天井取付キャッチャの操作手順は、以下のようになる。スイッチをONにして、その結果、リード線及びリベット固定されたリング17，17aを通して電流が流れて、固定ひも21に巻き付けられたワイヤー抵抗体18を溶かす。加圧ガス容器2中の高圧ガスは、プラグ20および加圧板19を押し出して、弾丸を強制的に外に出す。弾丸は順次ネットを引き出す。それと同時に、別の加圧ガス容器2aの中の高圧ガスが急速に出て、小さな容器が刺激物質と塗料とを強制的にスプレーさせる。
【００２７】
本考案において記述された屋内の暴動防止キャッチャは、壁又はコーナー部に取り付けることもできる。壁に取り付けられたキャッチャは、ケーシング、加圧ガス容器、発射ヘッドおよび発射メカニズムを備える。前記ケーシングは、壁又はコーナー部に取り付けられる。前記加圧ガス容器のフレームは、ケーシングに取り付けられ、ボスおよびくぼみの接続部によってケーシングに接続される。それは着脱可能である。発射ヘッドは、加圧ガス容器の下に取り付けられる。ある角度で外方に傾斜したいくつかの弾丸穴は、発射ヘッドの周囲に沿って配される。各弾丸穴には一つの弾丸があり、弾丸は、接続ひもによって、発射ヘッドのネット収納パイプ中にあるネットに接続される。発射メカニズムは、加圧ガス容器のオリフィスに取り付けられ、中央モニタリングシステム又はＣＣＴＶモニタリングシステムにオンラインで制御されてもよい。
【００２８】
図３を参照すること。図３では、加圧ガス容器のオリフィスでの発射メカニズムは、ヒューズ抵抗体誘発タイプ又は携帯型の回転ブレード切断タイプである。フレーム16は、加圧ガス容器のオリフィスに取り付けられる。また、それはねじ山接続を通してオリフィスに接続される。オリフィスはゴム栓で密閉される。ゴム栓は加圧板19で加圧されている。締め付けひも（string）21は、加圧板19の一端に取り付けられる。それは、フレーム上の突出ポールに接続される。ワイヤー抵抗体18は、締め付けひもに巻き付けられている。リベット固定されたリング17，17aは、ワイヤー抵抗体18の各端部に取り付けられて、リベット固定されたリングの両方が、締め付けひもに固定される。リベット固定されたリングは、リード線を通して制御スイッチに接続される。電極はフレームに取り付けられる。他の電極はケーシングに取り付けられる。設置の後、二つの電極はお互いに結合する。ブレード22は、フレーム16上の回転スリーブ23の内壁に取り付けられる。
【００２９】
壁に取り付けられたキャッチャは、壁から直接に発射されるか、又は壁から取り外されて手動で発射される。壁から発射する場合には、スイッチをONにして電極の電源を入れる。その結果、ワイヤー抵抗体は締め付けひもを溶かす。そして、高圧ガスが、急速に放出されてネットを発出する（release）。携帯型の方法で放出する場合には、壁のくぼみからキャッチャを取り外して、手によって回転スリーブを回す。スリーブ上のブレードがスリーブと回転すると、締め付けひもを別々に切断する。その結果、ネットは発射ヘッドから発出される。
【００３０】
本考案の発射メカニズムにおけるネットは、電圧の印加されたネットを含んでいてもよい。その電圧は致命的なものでない。
【図面の簡単な説明】
【００３１】
【図１】本考案に係る天井に取り付けられた屋内キャッチャの構造図を示す。
【図２】図１に示された発射メカニズムの他のタイプのものの模式図である。
【図３】本考案に係る壁に取り付けられた屋内キャッチャの発射メカニズムの模式図である。
【符号の説明】
【００３２】
1  ケーシング
2，2a  加圧ガス容器
3，3a，3b  ボールジョイント
4，4a  マノメーター
5，5a  電磁弁
6  発射ヘッド
7  弾丸穴
7a  ネット収納パイプ
8  弾丸
9  ネット
10  キャップ
11  塗料
11a  刺激物質
12，12a  小さな容器
13  ノズル
14  Ｔ字型ジョイント
15  接続ひも（connecting string）
16，16a  フレーム
17，17a，17’，17a’  リベット固定されたリング
18，18a  ワイヤー抵抗体
19，19a  加圧板
20，20a  ゴム栓
21，21a  固定ひも（fastening string）
22  ブレード
23  回転スリーブ
【図１】
0003117551.tif 000003
【図２】
0003117551.tif 000004
【図３】
0003117551.tif 000005